(57)【特許請求の範囲】
【請求項１】
プラスチックラミネートフィルムを素材として成形された両端開口の周面が連続的に形成された筒形中間胴部を金型コアとなるマンドレルの外面に被着し、中間胴部を被着したマンドレルを口部を設けた上側成形部に対応する空間および開口部を設けた下側成形部に対応する空間を有する１つの金型に装着し、マンドレルに被着した筒形中間胴部の基端部と前記金型に囲まれた下側成形部成形空間を画成し、スペーサを前記金型の上側から前記金型に装着し、マンドレルに被着した筒形中間胴部の先端部と前記金型とスペーサに囲まれた上側成形部成形空間を画成し、上側成形部成形空間と下側成形部成形空間を前記金型に設けたランナーにより連通し、溶融プラスチック樹脂材料をインサートインジェクション成形手段により上側成形部成形空間および下側成形部成形空間に注入し、中間胴部の端部外面に口部を有する上側成形部および開口部を有する下側成形部を一体的に結合し、下側成形部の開口部を底蓋で閉じることを特徴とする容器
の製造方法。
【請求項２】
プラスチックラミネートフィルムに金属箔が介装されていることを特徴とする請求項１に記載の容器の製造方法。
【発明の詳細な説明】
【技術分野】
【０００１】
本発明は、吐出ガン用カートリッジ容器の製造に適した容器の製造方法に関する。
【背景技術】
【０００２】
粉末コーヒーのような湿気を嫌う固形物を封入する容器としては、容器自体を湿気を通さない材料で構成することが必要であるため、ガラス容器や金属缶あるいはブロウ成形したプラスチック容器が用いられている。
【０００３】
ガラス容器は、防湿性やガス遮断性にすぐれているので保存性に富み、使用後においても原形を保つ特性を有する。
【０００４】
しかし、ガラス容器は、重量が重いため、使用済みのガラス容器を廃棄する際のゴミ処理の面で重量やボリュームに難点がある。同様に、金属缶も、使用済みの金属缶を廃棄する際に、重量やボリュームに難点がある。
【０００５】
ブロウ成形したプラスチック容器は、使用済みの容器を廃棄する際のガラス容器や金属缶が具有する重量やボリュームの難点を解消することはできるが、現在のブロウ成形技術では、肉厚を約０．７ミリ以下の薄いものにすることができず、しかも、防湿やガス遮断性を考慮すると、合成樹脂材料としてエバール等のバリヤー基材とポリエチレンやポリプロピレン等の共押し出しブロウ成型品に限られている。
【０００６】
そこで、防湿性やガス遮断性にすぐれたプラスチックラミネートフィルムを素材としてパウチ状に成形したプラスチック容器が開発された。この種のプラスチック容器は、プラスチックラミネートフィルムを防湿性やガス遮断性に富んだ材料とすることで防湿性やガス遮断性の難点は解消し、プラスチックラミネートフィルムの具有するフレキシブル性によりコンパクトな形状に変形でき、ゴミ処理の面でのガラス容器や金属缶が具有する重量やボリュームの難点も解消することができる。
【発明の開示】
【発明が解決しようとする課題】
【０００７】
パウチ状プラスチック容器は、全体重量が軽く、使用後のボリュームが減少するため、使用済みの容器を廃棄する際のゴミ処理の面での問題点は解消することはできるが、プラスチックラミネートフィルムを素材としているので、容器としての形状安定性に難点があり、
また、パウチ状プラスチック容器は、開封して内容物を取り出して容器に残る内容物の量が少なくなった場合、スプーンを用いても容器の底部に残った内容物を取り出すのがめんどうである。
【０００８】
本発明は、上記した点に鑑みてなされたもので、プラスチックラミネートフィルムの筒形中間胴部にプラスチック成形部を接着剤を用いることなく一体的に結合し、中間胴部とプラスチック成形部との接合部にしわが形成されることがなく形状安定性が確保される容器の製造方法を提供することを目的とする。
【課題を解決するための手段】
【０００９】
本発明の容器の製造方法は、プラスチックラミネートフィルムを素材として成形された両端開口の周面が連続的に形成された筒形中間胴部を金型コアとなるマンドレルの外面に被着し、中間胴部を被着したマンドレルを口部を設けた上側成形部に対応する空間および開口部を設けた下側成形部に対応する空間を有する１つの金型に装着し、マンドレルに被着した筒形中間胴部の基端部と前記金型に囲まれた下側成形部成形空間を画成し、スペーサを前記１つの金型の上側から前記金型に装着し、マンドレルに被着した筒形中間胴部の先端部と前記金型とスペーサに囲まれた上側成形部成形空間を画成し、上側成形部成形空間と下側成形部成形空間を前記金型に設けたランナーにより連通し、溶融プラスチック樹脂材料をインサートインジェクション成形手段により上側成形部成形空間および下側成形部成形空間に注入し、中間胴部の端部外面に口部を有する上側成形部および開口部を有する下側成形部を一体的に結合し、下側成形部の開口部を底蓋で閉じることで構成される。
【発明の効果】
【００１０】
本発明により作られる容器は、プラスチックラミネートフィルムの筒形中間胴部にインサートインジェクション成形手段により上部成形部および下部成形部を一体的に結合するので、中間胴部と成形部の接合部にしわが形成されることがなく、形状安定性が確保される。
【発明を実施するための最良の形態】
【００１１】
以下、本発明による容器の製造方法の一実施形態について、添付の図面を参照しながら説明する。  
図１は、本発明による容器の製造方法により作られた吐出ガン用カートリッジ２０を示すものであり、この吐出ガン用カートリッジ２０は、プラスチックラミネートフィルムで筒形に成形した本体部２１と、本体部２１の上端に一体的に成形された口部２２を設けた上側成形部２３と、本体部２１の下端に一体的に成形された環状下側成形部２４とから構成されている。この環状下側成形部２４には底蓋を兼ねる押圧板２５が嵌合される。
【００１２】
上記プラスチックラミネートフィルムは、防湿性やガス遮断性およびフレキシブル性を考慮して、厚さ５０ミクロンのポリエチレンフィルムと厚さ１２ミクロンのポリエステルフィルムと厚さ９ミクロンのアルミニウム箔と厚さ５０ミクロンのポリエチレンフィルムをラミネート加工したもの、または、厚さ５０ミクロンのポリエチレンフィルムと厚さ５０ミクロンの紙と厚さ９ミクロンのアルミニウム箔と厚さ５０ミクロンのポリエチレンフィルムをラミネート加工したものが選定される。
【００１３】
上記吐出ガン用カートリッジ２０を作るには、図２に示すように、本体部２１として、本体部内に収容される接着剤やシーリング材に作用しない材質のプラスチックラミネートフィルムで両端開口の筒形に成形したものが選定される。両端開口の本体部２１は、金型コアとなるマンドレル２６に装着される。
【００１４】
つぎに、本体部２１を外装したマンドレル２６は、吐出ガン用カートリッジ２０の上側成形部２３に対応する形状の空間および下側成形部２４に対応する形状の空間を設けた金型２７に装着される。これにより、マンドレル２６と金型２７に囲まれた下側成形部２４のための成形空間２４ａが画成される。
【００１５】
つぎに、金型２７の上側からスペーサ２８を金型２７に装着する。これにより、マンドレル２６と金型２７とスペーサ２８に囲まれた上側成形部２３のための成形空間２３ａが画成される。上側成形部２３の成形空間２３ａと下側成形部２４の成形空間２４ａは金型２７に設けたランナー２９により互いに連通される。ランナー２９は、ゲート口３０に連通している。
【００１６】
本体部２１の金型２７へのセットが終了したら、金型２７に設けたゲート口３０からランナー２９を通して上側成形部２３の成形空間２３ａと下側成形部２４の成形空間２４ａにインサートインジュクション成形手段によりポリエチレン樹脂のような合成樹脂材料を溶融状態で注入する。これにより、中間胴部を形成する本体部２１の外面に上側成形部２３および下側成形部２４が一体的に結合され、下端開口の吐出ガン用カートリッジ２０が作られる。
【００１７】
下端開口の吐出ガン用カートリッジ２０に接着剤を充填するには、吐出ガン用カートリッジ２０を、上側成形部２３を下側にして上側成形部２３に設けた口部２２を把持するように充填機に装着し、充填機から注出される接着剤を下側成形部２４の開口部から本体部２１の内部に充填する。本体部２１に所定量の接着剤が充填されたら、本体部２１の下側成形部２４の開口端に底蓋２５を嵌合することで下側成形部２４の開口部を閉じる。この底蓋２５は、吐出ガンの作動部に押圧される押圧板としても作用する。
【００１８】
なお、充填される接着剤に空気の混入を防ぐためには、本体部２１の下側成形部２４の開口端に底蓋２５を嵌合した後、上側成形部２３の口部２２から真空引きして本体部２１の内部空間の空気を引き出した後、上側成形部２３の口部２２を通して充填機から注出される接着剤を本体部２１の内部に充填する。
【００１９】
上記実施の形態例では、吐出ガン用カートリッジ２０は、本体部２１を構成する中間胴部を円筒形として１液の接着剤を充填する構造としているが、吐出ガン用カートリッジ２０の本体部２１を半円状の２つの半体を組み合わせる構造とし、上側成形部２３および下側成形部２４を半円状の２つの半体に結合する構造とすれば、２液の接着剤を別々に充填することができる。
【００２０】
なお、吐出ガン用カートリッジ２０と同様構成であっても、本体部２１の材質や形状寸法を選択することで、飲料容器や洗剤容器としても利用することができる。
【図面の簡単な説明】
【００２１】
【図１】本発明による吐出ガン用カートリッジ容器の製造方法により作られた吐出ガン用カートリッジの一部を破いて示す側面図である。
【図２】本発明による吐出ガン用カートリッジの製造方法を示す図である。
【符号の説明】
【００２２】
２０  吐出ガン用カートリッジ
２１  中間胴部
２２  口部
２３  上側成形部
２３ａ  上側成形部成形空間
２４  下側成形部
２４ａ  下側成形部成形空間
２５  底蓋
２６  マンドレル
２７  金型
２８  スペーサ
【図１】
0004459934.tif 000002
【図２】
0004459934.tif 000003